(57)【要約】【課題】天板昇降式什器としての機能及び仕切りパネルとしての機能を備えつつ、隣接する他の什器や壁等と天板昇降式什器の天板との隙間を確実かつ容易に維持し、美観が損なわれるのを防ぐことのできる什器システムを提供する。【解決手段】本発明の什器システムは、天板（２０）と、左右に離間して配設されて前記天板を昇降可能にする一対の天板支持脚（３０）とを有する天板昇降式什器（２）と、  前記一対の天板支持脚の左右方向の外側面に当接または近接配置される一対のパネル支持脚（５０）と、前記天板の後側に配置され前記一対のパネル支持脚に支持されるパネル体と（４０）を有する衝立パネル（３）と、を備え、前記パネル支持脚の左右方向の外側面（３５）が、前記天板の左右方向の外側端部（２１）よりも外方に所定長さ突出して配置されていることを特徴とする。【選択図】図１
2019076186.tif 000002
【特許請求の範囲】
【請求項１】
天板と、左右に離間して配設されて前記天板を昇降可能にする一対の天板支持脚とを有する天板昇降式什器と、
前記一対の天板支持脚の左右方向の外側面に当接または近接配置される一対のパネル支持脚と、前記天板の後側に配置され前記一対のパネル支持脚に支持されるパネル体とを有する衝立パネルと、を備え、
前記パネル支持脚の左右方向の外側面が、前記天板の左右方向の外側端部よりも外方に所定長さ突出して配置されていることを特徴とする什器システム。
【請求項２】
前記一対のパネル支持脚の少なくとも一方に、前記パネル支持脚の左右方向の内側面から内方に向かって突出して設けられた内突出片を備え、
前記内突出片は、前記天板支持脚の下面の下方に配置される請求項１に記載の什器システム。
【請求項３】
前記一対のパネル支持脚の左右方向の内側面からそれぞれ内方に向かって突出して設けられ、前側を向く当接面を有する一対の位置決め片を備え、
前記一対の天板支持脚が前記一対の位置決め片に当接するように配置される請求項１または請求項２に記載の什器システム。
【請求項４】
天板と、左右に離間して配設されて前記天板を昇降可能にする一対の天板支持脚とを有する天板昇降式什器と、
前記天板の後側に配置され、左右方向の外端部が前記天板の左右端部よりも外方に張り出すように立設されたパネル体、及び前記パネル体を支持する一対のパネル支持脚を有する衝立パネルと、を備え、
前記一対のパネル支持脚は、前記パネル体の左右方向の前記外端部と前記天板支持脚との間に配置されることを特徴とする什器システム。
【請求項５】
前記天板昇降式什器及び前記天板昇降式什器の前記天板の後側に配置される前記衝立パネルからなる組が左右方向に並べて複数組配置されており、
複数の前記衝立パネルのそれぞれの前記パネル支持脚の左右方向の外側面同士を当接させることにより複数の前記天板昇降式什器の設置位置が位置決めされる
請求項１から請求項４のいずれか一項に記載の什器システム。
【発明の詳細な説明】
【技術分野】
【０００１】
本発明は、什器システムに関する。
【背景技術】
【０００２】
オフィスや公共施設等の執務空間においては、執務者に作業エリアを提供するためにデスクが用いられている。複数のデスクを横方向に並べて配置する場合、デスクの天板同士を突き合わせることで、デスクの天板同士の隙間が生じないようにするのが一般的である。ただし、デスク上にて使用する電子機器の配線を挿通させる等の目的のため、デスクの天板同士の間に隙間を設けて配置することもある。このような場合、単にデスクの天板同士の間に隙間を設けたのでは、隙間が不均一となって執務空間の美観が損なわれることがある。また、使用しているうち、デスクが動いてしまい、デスクの天板同士の隙間が当初設定したものから変動してしまうことがある。
【０００３】
そこで、特許文献１には、天板の側端部から突出するように設けたスペーサ部材を、他のデスクの天板の側端部に突き当てることで、デスクの天板同士の隙間を一定に保つ構成が開示されている。このような特許文献１のような技術では、デスクの天板同士の隙間にスペーサ部材が露出するため、美観が損なわれる。また、天板昇降式デスクを使用する場合には、隣接して配置されたデスクの天板同士の間に物品が挟まるのを防止する為に隙間を開ける必要がある。ただし、天板昇降式デスクでは、天板を昇降動作させると各天板の高さが異なる場合があり、特許文献１の構造ではスペーサとしての機能を果たせなくなってしまう。そこで、特許文献２には、天板を支持する一対の脚体の下面に、脚体の下方に収納された収納状態と、脚体から側方に突出する突出状態との間で切り換え可能とされた位置決め部材を備える点が開示されている。
また、執務者が執務に集中しやすい環境を提供するため、複数の天板付き什器の背面間に衝立パネルが設置される例が知られている（特許文献３）。
【先行技術文献】
【特許文献】
【０００４】
【特許文献１】特許第４３１３１５８号公報
【特許文献２】特開２０１６−８７０３０号公報
【特許文献３】特開２０１６−２０９１４６号公報
【発明の概要】
【発明が解決しようとする課題】
【０００５】
しかし、特許文献２のような天板昇降式什器では、切り換え可能な位置決め手段が脚体の下面に設けられている。したがって、天板同士の間に隙間を設けて複数の什器を配置するためには、脚体の下部に手を伸ばして操作する必要があった。また、特許文献３のように天板付き什器に対して衝立パネルを設置する場合に、特許文献２のような位置決め手段を採用しようとすると、衝立パネルの支持構造を天板付き什器の支持構造の内側に配置する必要があり、天板の下方に利用者の下肢を配置するスペースが小さくなるという問題があった。
【０００６】
本発明は、天板昇降式什器としての機能及び仕切りパネルとしての機能を備えつつ、隣接する他の什器や壁等と天板昇降式什器の天板との隙間を確実かつ容易に維持し、美観が損なわれるのを防ぐことのできる什器システムを提供することを目的とする。
【課題を解決するための手段】
【０００７】
本発明に係る什器システムは、天板と、左右に離間して配設されて前記天板を昇降可能にする一対の天板支持脚とを有する天板昇降式什器と、前記一対の天板支持脚の左右方向の外側面に当接または近接配置される一対のパネル支持脚と、前記天板の後側に配置され前記一対のパネル支持脚に支持されるパネル体とを有する衝立パネルと、を備え、前記パネル支持脚の左右方向の外側面が、前記天板の左右方向の外側端部よりも外方に所定長さ突出して配置されていることを特徴とする。
【０００８】
このような什器システムによれば、パネル支持脚の左右方向の外側面が、天板の左右方向の外側端部よりも外方に所定長さ突出して配置されているため、天板の左右方向の外側端部がパネル支持脚の左右方向の外側面よりも左右方向の内方に位置し、天板の左右方向の外側にスペースが確保される。このような構成を備えることにより、天板と他の什器や壁等との隙間を確実かつ容易に維持し、美観が損なわれるのを防ぐことができる。左右方向に複数の天板昇降式什器を並べて設置した場合に、各天板昇降式什器の天板同士の左右方向の外側端部間に隙間が生じる。その結果、天板を昇降動作させる際に、天板の外側端部近傍に載置された物品を挟んだり、天板と他の物品（他の天板昇降式什器の天板を含む）との間に手が挟まれるのを防止し、什器使用時の安全性を高めることができる。
また、天板昇降式什器の天板の下方において、一対の天板支持部間に一対のパネル支持脚が配置されないため、天板の下方に利用者の下肢を配置するスペースを広く確保でき、有効に活用できる。すなわち、このような什器システムは、什器使用時の安全性の確保し、仕切機能を備えながら天板の下方空間を広く確保できる。
【０００９】
上記什器システムは、前記一対のパネル支持脚の少なくとも一方に、前記パネル支持脚の左右方向の内側面から内方に向かって突出して設けられた内突出片を備え、前記内突出片は、前記天板支持脚の下面の下方に配置されてもよい。
【００１０】
このような什器システムによれば、一対のパネル支持脚の少なくとも一方に備える内突出片が天板支持脚の下面の下方に配置されていることにより、衝立パネルに外力が掛かること等に起因してパネル支持脚が床面から浮いた場合に、内突出片が天板支持脚の下面に接触し、ストッパとして機能し、衝立パネルが倒れることを防ぐことができる。
【００１１】
上記什器システムにおいて、前記一対のパネル支持脚の左右方向の内側面からそれぞれ内方に向かって突出して設けられ、前側を向く当接面を有する一対の位置決め片を備え、前記一対の天板支持脚が前記一対の位置決め片に当接するように配置されてもよい。
【００１２】
このような什器システムによれば、一対の天板支持脚が一対のパネル支持脚に設けられた一対の位置決め片に当接するように配置されることにより、衝立パネルと天板昇降式什器との前後方向の位置を容易に位置決めできる。
【００１３】
本発明に係る什器システムは、天板と、左右に離間して配設されて前記天板を昇降可能にする一対の天板支持脚とを有する天板昇降式什器と、前記天板の後側に配置され、左右方向の外端部が前記天板の左右端部よりも外方に張り出すように立設されたパネル体、及び前記パネル体を支持する一対のパネル支持脚を有する衝立パネルと、を備え、前記一対のパネル支持脚は、前記パネル体の左右方向の前記外端部と前記天板支持脚との間に配置されることを特徴とする。
【００１４】
このような什器システムによれば、パネル体の左右方向の外端部が天板の左右端部よりも外方に張り出すように設けられており、一対のパネル支持脚がパネル体の左右方向の外端部と天板支持脚との間に配置されるため、天板の左右方向の外側端部がパネル支持脚の左右方向の外側面よりも左右方向の内方に位置する。このような構成を備えることにより、天板と他の什器や壁等との隙間を確実かつ容易に維持し、美観が損なわれるのを防ぐことができる。また、左右方向に複数の天板昇降式什器を並べて設置した場合に、各天板昇降式什器の天板同士の左右方向の外側端部間に確実に隙間が生じる。その結果、天板を昇降動作させる際に、天板の端部近傍に載置された物品を挟んだり、天板と他の物品（他の天板昇降式什器の天板を含む）との間に指が挟まれるのを防止し、什器使用時の安全性を高めることができる。
また、一対の天板支持部間にパネル支持脚が配置されないため、天板の下方に利用者の下肢を配置するスペースを広く確保でき、有効に活用できる。すなわち、このような什器システムは、什器使用時の安全性の確保し、仕切機能を備えながら天板の下方空間を広く確保できる。
【００１５】
上記什器システムにおいて、前記天板昇降式什器及び前記天板昇降式什器の前記天板の後側に配置される前記衝立パネルからなる組が左右方向に並べて複数組配置されており、複数の前記衝立パネルのそれぞれの前記パネル支持脚の左右方向の外側面同士を当接させることにより複数の前記天板昇降式什器の設置位置が位置決めされてもよい。
【００１６】
このような什器システムによれば、複数の衝立パネルのそれぞれのパネル支持脚の左右方向の外側面同士を当接させることにより、複数の天板昇降式什器の設置位置が位置決めされるので、各天板昇降式什器の天板同士の左右方向の外側端部間の隙間を確実に維持した状態で複数の天板昇降式什器を設置できる。
【発明の効果】
【００１７】
上記什器システムによれば、天板昇降式什器としての機能及び仕切りパネルとしての機能を備えつつ、隣接する他の什器や壁等と天板昇降式什器の天板との隙間を確実かつ容易に維持し、美観が損なわれるのを防ぐことができる。
【図面の簡単な説明】
【００１８】
【図１】本発明の一実施形態に係る什器システムの全体構成を示す斜視図である。
【図２】本発明の一実施形態に係る什器システムの正面図である。
【図３】本発明の一実施形態に係る什器システムの一部を示す平面図である。
【図４】本発明の一実施形態に係る衝立パネルのパネル支持脚を示す斜視図である。
【図５】本発明の変形例の衝立パネルのパネル支持脚を示す斜視図である。
【図６】本発明の変形例の什器システムの一部を示す平面図である。
【発明を実施するための形態】
【００１９】
以下、本発明の一実施形態について、図面を参照して説明する。
図１は、本実施形態に係る什器システム１の全体構成を示す斜視図である。図２は、本実施形態に係る什器システム１の正面図である。図３は、本実施形態に係る什器システム１の一部を示す平面図である。本実施形態では、天板昇降式什器がデスク装置である例を示す。
【００２０】
図１、図２及び図４に示すように、什器システム１は、デスク装置（天板昇降式什器）２と、デスク装置２の一辺側に設けられる衝立パネル３と、を備えている。
【００２１】
デスク装置２は、上面２４を作業面とする天板２０と、一対の天板支持脚３０と、を備えている。天板２０は、平面視長方形を有する板状体である。以下の説明において、デスク装置２を利用する利用者が天板２０と向き合ったときの横方向（幅方向）を左右方向と称する。デスク装置２が設置される床面Ｆに直交する方向を上下方向と適宜称する。また、上記左右方向及び上下方向と直交する方向を前後方向と称し、利用者側を前側、反対側を後側と称する。
【００２２】
一対の天板支持脚３０は、天板２０の左右方向の両側の外側端部２１，２１の下方に、互いに離間して配設されている。天板支持脚３０，３０は、下部支持体３１と、上部支持体３２と天板固定部３３とを有する。
【００２３】
下部支持体３１，３１は、床面Ｆ上に配置され、天板２０の前後方向に沿って延びて設けられている。下部支持体３１，３１の下面には、下部支持体３１の高さおよび天板２０の上面２４の水平位置の調整を行うアジャスター３１ａが設けられている。
【００２４】
上部支持体３２は、上下方向に伸縮可能な構成を有する。上部支持体３２は、入れ子状（テレスコピック状）に構成されており、内部に伸縮機構（例えば、シリンダ機構、ラックピニオン機構、ボールねじ機構等）を収容している。
【００２５】
上部支持体３２の上部は天板固定部３３に固定されている。天板固定部３３はボルトなどの固定手段により天板２０の下面に固定され、上部支持体３２は、天板固定部３３を介して天板２０に固定されている。
【００２６】
上部支持体３２は、天板２０周辺に設けられる操作部（不図示）とケーブル（不図示）により電気的に接続されている。操作部に操作入力が行われると、電気信号がケーブルを介して伸縮機構に伝達される。制御部から伸縮機構に伝達された電気信号に基づき、上部支持体３２を上下方向に伸縮させることができる。これにより、天板支持脚３０は、天板２０を昇降可能に支持している。
【００２７】
図１、図２及び図４に示すように、什器システム１では、衝立パネル３のパネル体４０がデスク装置２の天板２０の後縁２２側に配置される。衝立パネル３は、矩形の平板形状を有するパネル体４０と、パネル支持脚５０，５０とを備える。パネル体４０は、アクリル樹脂等の光透過性を有した透過性材料や、表面に布を張設した遮光性材料、木質材、不織布等によって形成することができる。また、パネル体４０は、平板板状のパネル体４０の外周縁部を囲むように枠体４０ａが設けられている。枠体４０ａは必須の構成ではなく、パネル体４０自体が自立可能であり且つ、間仕切りとして十分な強度を備える場合、枠体４０ａは不要である。
【００２８】
衝立パネル３は、パネル体４０の左右両端の下部が一対のパネル支持脚５０，５０に固定されている。これにより、パネル体４０が一対のパネル支持脚５０，５０に起立状態で支持される。衝立パネル３は、天板２０の後縁２２に沿って配されている。一対のパネル支持脚５０は、床面Ｆ上に配置され、パネル体４０の左右両端に、パネル体４０の厚さ方向となる前後方向に沿って延びている。本実施形態では、パネル支持脚５０は、パネル体４０から前後方向前側及び後側にそれぞれ延びている。一対のパネル支持脚５０のうち前側に延びる部分は、左右方向の内側面５２が対応する天板支持脚３０の左右方向の外側面３５に沿って配されている。また、一対のパネル支持脚５０の左右方向の外側面５１，５１は、パネル体４０の左右方向の外端部４１，４１と略等しい位置となるように配置されている。
【００２９】
図３及び図４に示すように、各パネル支持脚５０に位置決め片６０が設けられている。位置決め片６０は、一対のパネル支持脚５０の左右方向の内側面５２からそれぞれ左右方向の内方に向かって突出して設けられている。位置決め片６０は、固定部６２と、当接面部（当接面）６１とが一体に形成された部材である。固定部６２は、内側面５２に沿って設けられ、パネル支持脚５０にねじ等の固定部材により固定される。当接面部６１は、固定部６２の後側端部から左右方向の内側に略直角に曲折し、パネル体４０と略平行に延びて形成されている。当接面部６１は、衝立パネル３に対する天板支持脚３０の前後方向の位置を位置決めするために設けられている。
【００３０】
次に、什器システム１におけるデスク装置２及び衝立パネル３の配置及び設置方法について説明する。什器システム１において、天板２０の後縁２２とパネル体４０とは対向し、且つ近接するように配置され、衝立パネル３の一対のパネル支持脚５０の内側面５２同士の間にデスク装置２の天板支持脚３０が配置される。
【００３１】
什器システム１の設置時、最初に衝立パネル３を所定の位置に配置した後、デスク装置２を設置する。衝立パネル３から前方に離間した位置で、デスク装置２を衝立パネル３の正面の中央部に概ね位置合わせした後、デスク装置２を床面Ｆ上で摺動させながらパネル体４０側に押し込む。什器システム１では、一対のパネル支持脚５０の左右方向の内側面５２，５２間の長さよりも、一対の天板支持脚３０の外側面３５，３５間の長さが僅かに短い。そのため、デスク装置２をパネル体４０側に押し込むと、パネル支持脚５０の内側面５２の近傍において、下部支持体３１が図３に矢印Ａで示す方向に進入し、下部支持体３１の後面３４が位置決め片６０の当接面部６１に当接するまでデスク装置２が押し込まれる。その結果、各天板支持脚３０の後側部分における左右方向の外側面３５が、パネル支持脚５０の内側面５２に対向して当接あるいは近接配置される。
【００３２】
なお、図４では、説明のために位置決め片６０を模式的に大きく示しているが、天板支持脚３０の下部支持体３１の後面３４が位置決め片６０の当接面部６１に当接し、天板支持脚３０の後側部分における左右方向の外側面３５が位置決め片６０の固定部６２に当接したとき、外側面３５とパネル支持脚５０の内側面５２とは、隙間が目立たないレベルで近接配置される。
【００３３】
上述の通り、什器システム１では、一対のパネル支持脚５０の左右方向の内側に一対の天板支持脚３０が近接配置される。このため、デスク装置２の左右方向の位置は、一対のパネル支持脚５０，５０の内側面５２，５２により位置決めされ、平面視において、パネル体４０に対して天板２０の後縁２２が略平行に位置決めされる。天板２０のパネル体４０に対する前後方向の位置は、位置決め片６０の当接面部６１に天板支持脚３０の後面３４が当接することにより位置決めされる。また、デスク装置２は、このように位置決めされると、衝立パネル３に対する左右方向及び前後方向の位置が保持される。
【００３４】
次に、複数のデスク装置２を左右方向に並べて設置する場合、複数の衝立パネル３を複数の衝立パネル３のそれぞれのパネル支持脚５０の左右方向の外側面５１，５１同士を当接させるように並べて配置し、上述の通り、衝立パネル３の正面にデスク装置２を配置する。
【００３５】
図２に示すように、什器システム１では、各パネル支持脚５０の左右方向の外側面５１が、天板２０の左右方向の外側端部２１（左右端部）よりも外方に所定の長さＬ突出して配置されている。この突出する長さＬは、天板２０と、並べて配置する相手側との隙間として必要な隙間の大きさと対応している。デスク装置２と衝立パネル３の組を壁に沿って配置する場合には、突出する長さＬとしては、上記必要な隙間の大きさ以上とすることが望ましい。また、デスク装置２と衝立パネル３の組を左右方向に複数組並べて配置する場合には、突出する長さＬは、天板２０同士の隙間Ｓとして必要な隙間の大きさの１／２以上であることが望ましい。デスク装置２及び衝立パネル３を壁に沿って配置する場合と、デスク装置２と衝立パネル３との複数組を並べて配置することの両方が想定される場合には突出する長さＬとして上記必要な隙間の大きさ以上とすることが望ましい。
【００３６】
ここでいう必要な隙間Ｓの大きさとは、天板２０の左右方向の外側端部２１と、相手側（壁、隣接する組のデスク装置２の天板２０の外側端部２１等）とで指挟みが生じ得ない程度に設定されている。具体的に必要な隙間Ｓの大きさとしては、例えば、２０ｍｍから５０ｍｍである。
【００３７】
本実施形態に係る什器システム１では、各パネル支持脚５０，５０の左右方向の外側面５１，５１が、天板２０の左右方向の外端部４１，４１よりも外方に所定長さ突出して配置されているため、天板２０の外端部４１，４１がパネル支持脚５０，５０の外側面５１，５１よりも左右方向の内方に位置し、天板２０の左右方向の外側にスペースが確保される。このような構成を備えることにより、天板２０と他の什器や壁等との隙間Ｓを確実かつ容易に維持し、美観が損なわれるのを防ぐことができる。また、デスク装置２と衝立パネル３の組を左右方向に並べて配置する場合には、各デスク装置２の天板２０，２０同士の左右方向の外側端部間に確実に隙間Ｓが生じる。その結果、天板２０を昇降動作させる際に、天板２０の外端部４１，４１近傍に載置された物品を挟んだり、天板２０と他の物品（他の天板昇降式什器の天板を含む）との間、あるいは天板２０，２０間に指が挟まれるのを防止し、使用時の安全性を高めることができる。
【００３８】
本実施形態に係る什器システム１によれば、パネル体４０の左右方向の外端部４１，４１が天板２０の左右両側の外側端部２１，２１よりも外方に張り出すように、パネル体４０が立設されており、一対のパネル支持脚５０，５０がパネル体４０の外端部４１，４１と一対の天板支持脚３０，３０との間に配置されるため、天板２０の左右方向の外側端部２１，２１がパネル支持脚５０，５０の外側面５１，５１よりも左右方向の内方に位置する。このような構成を備えることにより、左右方向に複数のデスク装置２を並べて設置した場合に、各デスク装置２の天板２０，２０同士の外側端部２１，２１間に隙間が確保した状態で設置できる。その結果、天板２０を昇降動作させる際に、天板２０の端部近傍に載置された物品を挟んだり、天板２０と他の物品（他の天板昇降式什器の天板を含む）、あるいは天板２０同士の間に指が挟まれるのを防止し、什器使用時の安全性を高めることができる。
【００３９】
本実施形態に係る什器システム１によれば、すなわち、このような什器システムは、什器使用時の安全性の確保し、仕切機能を備えながら天板の下方空間を広く確保できる。デスク装置２の一対の天板支持脚３０，３０よりも左右方向の外側にパネル支持脚５０，５０が配置されるため、天板２０の下方のスペースが広く確保できる。そのため、天板２０の下方に抽斗を設置したり、物品収納ワゴン等を配置する場合であっても、執務者の着座使用時の脚のスペースを十分に確保できる。
【００４０】
また、一対の天板支持脚３０，３０間にパネル支持脚５０，５０が配置されないため、天板２０の下方に利用者の下肢を配置するスペースを広く確保でき、有効に活用できる。すなわち、このような什器システム１は、デスク装置２使用時の安全性の確保し、かつ、仕切機能を備えながら天板２０の下方空間を広く確保できる。
【００４１】
本実施形態に係る什器システム１によれば、複数の衝立パネル３のそれぞれのパネル支持脚５０の左右方向の外側面５１，５１同士を当接させることにより、複数のデスク装置２の左右方向の設置位置が位置決めされるので、各デスク装置２の天板２０，２０の外側端部２１，２１間の隙間Ｓを確実に維持した状態で複数のデスク装置２を設置できる。
【００４２】
本実施形態に係る什器システム１によれば、一対の天板支持脚３０，３０の後面３４，３４が一対のパネル支持脚５０，５０に設けられた一対の位置決め片６０，６０に当接するように配置されることにより、衝立パネル３とデスク装置２との前後方向の位置を容易に位置決めできる。
【００４３】
本実施形態では、各パネル支持脚５０にそれぞれ位置決め片６０を設ける例を示した。しかし、上述の通り、デスク装置２の左右方向の位置はパネル支持脚５０，５０により位置決め可能であるため、位置決め片６０は一対のパネル支持脚５０の少なくとも一方に設ければ、デスク装置２の前後方向の位置決めができる。
【００４４】
位置決め片６０は、図３に示す構成に限らず、パネル支持脚５０と一体に形成される構成であってもよい。例えば、パネル支持脚５０の内側面５２の一部を構成する板材を折り曲げて当接面部６１を構成しても良い。この場合、位置決め片６０は、パネル支持脚５０の内側面５２から当接面部６１を左右方向の内側に突出させて形成すればよく、固定部６２は不要となる。あるいは、図３に示す位置決め片６０を用い、パネル支持脚５０の内部に固定部６２を設け、内側面５２に貫通孔を形成して、当接面部６１のみをパネル支持脚５０の外部に露出させるように設けてもよい。
【００４５】
（変形例）
本発明に係る什器システム１は、図面を参照して説明した上述の実施形態に限定されるものではなく、その技術的範囲において様々な変形例が考えられる。
例えば、位置決め片は、図５に示すような変形例が考えられる。図５に上記実施形態の変形例の位置決め片６０Ａを備える衝立パネル３のパネル支持脚５０の斜視図を示す。図６は、変形例の位置決め片６０Ａを用いた什器システム１Ａの一部を示す平面図である。上記実施形態と共通する構成については図中に同符号を付してその説明を省略する。
【００４６】
図５に示すように、本変形例の位置決め片６０Ａは、上記実施形態の位置決め片６０に、さらに、内突出片７０を備える。内突出片７０は、パネル支持脚５０の左右方向の内側面５２から内方に向かって突出して設けられている。内突出片７０は、床面Ｆと略平行な平板状に形成されており、床面Ｆに近接配置されている。
【００４７】
図６に示すように、位置決め片６０Ａを備える場合、デスク装置２を設置する際、デスク装置２を持ち上げてパネル体４０の正面に向かって押し込む。内突出片７０は床面Ｆに近接配置されているため、デスク装置２を持ち上げながらパネル体４０の正面に向かって押し込むと、下部支持体３１のアジャスター３１ａが内突出片７０を乗り越える。その後、位置決め片６０Ａの当接面部６１に下部支持体３１の後面３４が当接する。また、図６に示すように、後側のアジャスター３１ａは、内突出片７０と当接面部６１との間で床面Ｆ上に配置される。これによって、デスク装置２とパネル体４０との前後位置が位置決めされる。つまり、後側のアジャスター３１ａは内突出片７０の後端と当接することによって、デスク装置２が前方に動くこと、もしくはパネル体４０が後方に動くことが規制される。さらに、位置決め編６０Ａの当接部６１に下部支持体３１の後面３４が当接することによって、デスク装置２が後方に動くこと、もしくは、パネル体４０が前方に動くことが規制される。
内突出片７０は、天板支持脚３０の下面の下方に近接配置される。この結果、衝立パネル３に外力が掛かること等に起因してパネル支持脚５０が床面Ｆから浮いた場合に、内突出片７０が天板支持脚３０の下面に当接する。デスク装置２は重量物であるため、内突出片７０が天板支持脚３０の下面に当接すると、天板支持脚３０によりパネル支持脚５０が係止されて、衝立パネル３が倒れることを防ぐことができる。
なお、本変形例の位置決め片６０Ａは、一対のパネル支持脚５０，５０の少なくとも一方に設けられればよい。
【００４８】
図５に示す例では、内突出片７０は、衝立パネル３の転倒防止機能を発揮可能となるように左右方向の内側に突出していればよい。したがって、内突出片７０は、天板支持脚３０の下面と床面Ｆとの間の隙間に位置するように、パネル支持脚５０の内側面５２から左右方向の内方に向かって突出して設けられていればよい。
【００４９】
また、変形例の位置決め片６０Ａに当接面部６１を設ける例を示したが、当接面部６１は必須の構成ではない。例えば、天板２０の後縁２２をパネル体４０の正面に近接させてパネル体４０とデスク装置２との離間寸法を目視で位置決めする場合、当接面部６１は不要であり、位置決め片６０Ａに内突出片７０のみを備える構成であってもよい。この他、一対のパネル支持脚５０，５０に、上記実施形態の位置決め片６０と変形例の位置決め片６０Ａを取り付けてもよい。
【００５０】
パネル支持脚５０，５０は、上記実施形態に示した構成に限定されず、パネル体４０の一方の面側のみにパネル支持脚が設けられる片面支持構造であってもよい。この場合、上記変形例の位置決め片６０Ａを用いると、衝立パネル３に外力が掛かること等に起因してパネル支持脚５０，５０が床面Ｆから浮いた場合に、内突出片７０が天板支持脚３０の下面に当接してストッパとして機能し、衝立パネル３が転倒することを防止できる。
【００５１】
上記実施形態では、天板昇降機能を備える複数のデスク装置２を並べて配置する例を示したが、天板昇降機能を備えるデスク装置２のみを複数並べて配置する例に限定されない。例えば、天板昇降機能を備えないデスク装置と衝立パネル３とを組み合わせたものを、本実施形態係る什器システム１と並べて配置する場合にも、天板昇降機能を備えるデスク装置２の天板２０の左右方向の外方にスペースが確保されるため、指挟みを防止可能である。
【００５２】
これ以外にも、本発明の主旨を逸脱しない限り、上記実施の形態で挙げた構成を取捨選択したり、他の構成に適宜変更したりすることが可能である。
【符号の説明】
【００５３】
１，１Ａ  什器システム
２  デスク装置（天板昇降式什器）
３  衝立パネル
２０  天板
３０  天板支持脚
５０  パネル支持脚
４０  パネル体
７０  内突出片
６０，６０Ａ  位置決め片
【図１】
2019076186.tif 000003
【図２】
2019076186.tif 000004
【図３】
2019076186.tif 000005
【図４】
2019076186.tif 000006
【図５】
2019076186.tif 000007
【図６】
2019076186.tif 000008